【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
ビデオを復号する方法であって、
符号化されたビットストリームにおいて、ビデオブロックグループに関してサンプル適応オフセット（ＳＡＯ）フィルタがオンになっているか、それともオフになっているかを示すイネーブルシンタックス要素を受信することと、
前記ビデオブロックグループに関して前記ＳＡＯフィルタがオンになっていることを前記イネーブルシンタックス要素が示したことに応答して、前記ビデオブロックグループに関する前記ＳＡＯフィルタのためのパラメータを識別する１つまたは複数の追加のシンタックス要素を受信することと、前記追加のシンタックス要素が１つまたは複数のマージシンタックス要素を備え、前記１つまたは複数のマージシンタックス要素は、前記ビデオブロックグループの少なくとも１つのブロックに関する前記ＳＡＯフィルタのための前記パラメータが、以前のビデオブロックグループに関する前記ＳＡＯフィルタのためのパラメータから再利用されるかどうかを示す、
前記受信されたイネーブルシンタックス要素に基づいて前記ビデオブロックグループに関して前記ＳＡＯフィルタを実行することと
を備える方法。
【請求項２】
前記符号化されたビットストリームにおいて、前記ＳＡＯフィルタのためのオフセット値を再構成するための情報を受信することと、
前記受信された情報に基づいて前記ＳＡＯフィルタのための前記フィルタ係数セットを再構成することと
をさらに備える、請求項１に記載の方法。
【請求項３】
前記符号化されたビットストリームにおいて、タイプセットからＳＡＯフィルタリングタイプを識別するＳＡＯタイプシンタックス要素を受信すること
をさらに備える、請求項１に記載の方法。
【請求項４】
前記符号化されたビットストリームに新しいフィルタ係数を識別する情報が存在しないことを新しいフィルタシンタックス要素がシグナリングしたことに応答して、ビットストリームにおいて１つもしくは複数のマージシンタックス要素および／またはフィルタインデックスを受信すること
をさらに備える、請求項８に記載の方法。
【請求項５】
前記イネーブルシンタックス要素および前記１つまたは複数の追加のシンタックス要素が、スケーラブルビデオコーディング（ＳＶＣ）ビデオストリームのレイヤのビデオブロックグループに関して受信され、
前記１つまたは複数の追加のシンタックス要素のためのパラメータが、前記ＳＶＣビデオストリームのレイヤから、前記ＳＶＣビデオストリームの他のレイヤにコピーされる、請求項１に記載の方法。
【請求項６】
前記イネーブルシンタックス要素および前記１つまたは複数の追加のシンタックス要素が、マルチビュービデオコーディング（ＭＶＣ）ビデオストリームのビューにおけるビデオブロックグループに関して受信される、請求項１に記載の方法。
【請求項７】
前記１つまたは複数の追加のシンタックス要素のためのパラメータが、前記ＭＶＣビデオストリームのビューから、前記ＭＶＣビデオストリームの他のビューにコピーされる、請求項６に記載の方法。
【請求項８】
現在のビデオユニットと前記現在のビデオユニットの左に隣接するビデオユニットとを受信することと、
前記受信されたシンタックス要素を解析して、前記現在のビデオユニットの左に隣接する前記ビデオユニットに関してフィルタリングタイプが有効であるかどうかを判定することと、
前記現在のビデオブロックの左に隣接する前記ビデオユニットに関して前記フィルタリングタイプが有効であると判定したことに応答して、１つまたは複数のマージシンタックス要素に基づいて前記現在のビデオユニットに関するフィルタパラメータを前記隣接する左のビデオユニットに関するフィルタパラメータから借りるかどうかを判定することと、
前記現在のビデオユニットに関する前記フィルタパラメータが前記隣接する左のビデオユニットに関する前記フィルタパラメータから借りられないと判定したことに直接応答して、前記１つまたは複数のマージシンタックス要素に基づいて、前記現在のビデオユニットに関する前記フィルタパラメータが隣接する上のビデオユニットに関するフィルタパラメータから借りられるかどうかを判定することと
をさらに備える、請求項１に記載の方法。
【請求項９】
現在のビデオユニットと前記現在のビデオユニットの左に隣接するビデオユニットとを受信することと、
前記受信されたシンタックス要素を解析して、前記現在のビデオユニットの左に隣接する前記ビデオユニットに関してフィルタリングタイプが有効であるかどうかを判定することと、
前記現在のビデオユニットの左に隣接する前記ビデオユニットに関して前記フィルタリングタイプが有効であると判定したことに応答して、１つまたは複数のマージシンタックス要素に基づいて前記現在のビデオユニットに関するフィルタパラメータが前記隣接する左のビデオユニットに関するフィルタパラメータから借りられるかどうかを判定することと、
前記現在のビデオユニットに関する前記フィルタパラメータが前記隣接する左のビデオユニットに関する前記フィルタパラメータから借りられないと判定したことに応答して、前記現在のビデオユニットに関する前記フィルタパラメータが隣接する上のビデオユニットに関するフィルタパラメータから借りられるかどうかを判定することなしに、前記現在のビデオユニットに関する前記フィルタパラメータを決定することと
をさらに備える、請求項１に記載の方法。
【請求項１０】
ビデオを符号化する方法であって、
符号化されたビットストリームに含めるために、ビデオブロックグループに関してサンプル適応オフセット（ＳＡＯ）フィルタがオンになっているか、それともオフになっているかを示すイネーブルシンタックス要素を生成することと、
前記ビデオブロックグループに関して前記ＳＡＯフィルタがオンになっていることを前記イネーブルシンタックス要素が示したことに応答して、前記ビデオブロックグループに関する前記ＳＡＯフィルタのためのパラメータを識別する１つまたは複数の追加のシンタックス要素を生成することと、前記追加のシンタックス要素が１つまたは複数のマージシンタックス要素を備え、前記１つまたは複数のマージシンタックス要素は、前記ビデオブロックグループの少なくとも１つのブロックに関する前記ＳＡＯフィルタのための前記パラメータが、以前のビデオブロックグループに関する前記ＳＡＯフィルタのためのパラメータから再利用されるかどうかを示す、
前記イネーブルシンタックス要素に従って前記ビデオブロックグループに関して前記ＳＡＯフィルタを実行することと
を備える方法。
【請求項１１】
前記符号化されたビットストリームに含めるために、前記ＳＡＯフィルタのためのオフセット値を再構成するための情報を生成すること
をさらに備える、請求項１０に記載の方法。
【請求項１２】
前記符号化されたビットストリームに含めるために、タイプセットからＳＡＯフィルタリングタイプを識別するＳＡＯタイプシンタックス要素を生成すること
をさらに備える、請求項１０に記載の方法。
【請求項１３】
前記符号化されたビットストリームに新しいフィルタ係数を識別する情報が存在しないことを新しいフィルタシンタックス要素がシグナリングしたことに応答して、前記符号化されたビットストリームに含めるために、１つもしくは複数のマージシンタックス要素および／またはフィルタインデックスを生成すること
をさらに備える、請求項１０に記載の方法。
【請求項１４】
実行されると、プロセッサに、請求項１から９または１０から１３のうちのいずれか１つの方法を実行させる命令を備えるコンピュータ可読記憶媒体。
【請求項１５】
ビデオを符号化するデバイスであって、
請求項１から９または１０から１３のうちのいずれか１つの方法を実行するための手段を備えるデバイス。